(57)【要約】      （修正有）【課題】市販のパンプスに対して後付けで容易にかつ短時間で取付けることができ、パンプスの意匠を損なうこともパンプスの魅力を損なうこともなく、耐久性に優れたアンクルストラップを提供する。【解決手段】市販のパンプスに後付けで取付けられるアンクルストラップ１として構成する。アンクルストラップ１は、天然皮革シートまたは人工皮革シートから所定形状に形成された取付用部材３と、所定長さのストラップ２とから構成する。取付用部材３について、その所定の部分をパンプスのヒールカップ部の内側に貼り付け、他の部分をヒールカップ部の外側に貼り付ける。取付用部材３の一部から形成されるループ１２にストラップ２を通す。なお、取付用部材３には、予めループ１２を形成するようにしてもよい。【選択図】図１
0003215642.tif 000002
【実用新案登録請求の範囲】
【請求項１】
市販のパンプスに後付けで取付けられるアンクルストラップであって、
前記アンクルストラップは、天然皮革シートまたは人工皮革シートから所定形状に形成された取付用部材と、所定長さのストラップとから構成され、
該取付用部材は、所定の部分が前記パンプスのヒールカップ部の内側に貼り付けられ、他の部分が前記ヒールカップ部の外側に貼り付けられるようになっており、
前記取付用部材が前記ヒールカップ部に貼り付けられると、前記ヒールカップ部の頂部において前記取付用部材からループが形成され、前記ストラップが該ループに通され、それによって前記アンクルスストラップが前記パンプスに取付けられるようになっていることを特徴とする、パンプスの後付け用アンクルストラップ。
【請求項２】
請求項１に記載のアンクルストラップであって、前記取付用部材は、比較的広い面積で所定形状に形成されているベース部と、該ベース部から所定長さで延びている帯部とから形成され、前記帯部は中央部分で折り返されて所定長さだけ縫合され、それによって該帯部の中央部分に前記ループが形成されており、
前記帯部のうち前記ベース部から前記ループに達するまでの部分と前記ベース部とが前記ヒールカップ部の内側に、そして前記帯部のうち前記ループより先端部分が前記ヒールカップ部の外側にそれぞれ貼り付けられるようになっていることを特徴とする、パンプスの後付け用アンクルストラップ。
【考案の詳細な説明】
【技術分野】
【０００１】
本考案は、パンプスのヒールカップ部に取付けられるアンクルストラップに関するものである。
【背景技術】
【０００２】
婦人靴のパンプスはビジネス等のフォーマルな場においても使用することができ、ファンション性も高く女性に人気を博している。パンプスは、足指近傍の先端を覆ういわゆる甲革部と、足の側面を覆う両方の側部と、踵を覆うヒールカップ部と、踵の下に設けられているヒール部とからなる。このようなパンプスは、側部の上端から形成されるトップラインが比較的低く、足を出し入れする開口部分つまり履き口が広く形成されている。従って、履きやすい婦人靴であると言える。またヒールカップ部は、アキレス腱を両方から挟持するヒールグリップが形成されていて踵を広く包み込むようになっているので、ある程度足がホールドされる。しかしながらパンプスは、足の甲が広く露出しているし、またヒール部による前方への傾斜によってつま先が前方に移動してヒールカップ部と踵の隙間が生じ易い。従って、歩行の際に踵が内底から離れたり密着したりを繰り返す、いわゆるパタパタ現象が発生したり、脱げやすいという問題もある。
【先行技術文献】
【特許文献】
【０００３】
【特許文献１】特開２０００−１０６９１１号公報
【特許文献２】特開２０１１−２４００７３号公報
【特許文献３】特開２０１５−２０８４４０号公報
【０００４】
特許文献１には、図４の（ア）に示されている、脱げ防止用のアンクルストラップ５３を備えた婦人靴５１が記載されている。この婦人靴５１はヒールカップ部５２を備えたサンダル５１でありパンプスではないが、このヒールカップ部５２の頂部においてアンクルストラップ５３が取付けられている。サンダル５１を履くとき、アンクルストラップ５３を足首に巻き付けて留める。そうすると歩行時にサンダル５１が脱げることはなく、いわゆるパタパタ現象も発生しない。
【０００５】
特許文献２には、図４の（イ）に示されている、パンプス６１に取付ける踵固定具６２が記載されている。踵固定具６２は、環状を呈する基ベルト部６３と、この基ベルト部６３の所定の２箇所の部分において接続されている、あるいは２箇所の部分から側方に分岐している装着補助ベルト部６４とからなる。基ベルト部６３は、装着補助ベルト部６４によって接続されている２箇所から前方部分が使用者の足の甲を抑えるネックベルト部６６になっており、後方部分がパンプス６１の踵部分を外側から抑える装着ベルト部６７になっている。使用者はパンプス６１に予め踵固定具６２を取付けた状態でパンプス６１を履く。そうすると図４の（イ）に示されているように、足の甲がネックベルト部６６によって抑えられ、歩行時にパンプス６１が脱げたり、いわゆるパタパタ現象が生じることが防止される。
【０００６】
特許文献３には市販のパンプスに後付けで取付けられる履き物用ホルダー７１が記載されている。履き物用ホルダー７１は、図４の（ウ）に示されているように、ベース部材７２と、このベース部材７２に取付けられているストラップ７３とからなる。ベース部材７２には所定長さの帯７４がループ状に取付けられている。このループの部分にストラップ７３が取付けられている。ベース部材７２には裏面に粘着テープが貼り付けられていて、パンプスの踵部分の内側に貼り付けられるようになっている。市販のパンプスにベース部材７２を貼り付けると、帯７４がヒールカップ部の内側に沿って立上がり、その上部がヒールカップ部の頂部近傍から露出する。それによってストラップ７３が完全に露出することになる。このストラップ７３はパンプスを履くとき、足首に巻き付けるようになっており、アンクルストラップということができる。
【考案の概要】
【考案が解決しようとする課題】
【０００７】
特許文献１に記載のアンクルストラップ５３は、サンダル５１が脱げることはなくいわゆるパタパタ現象も防止することができ、女性の足首に巻かれて魅力を増すことができるのでファッション的にも優れている。従ってこのアンクルストラップ５３をパンプスに取付けるにようにすれば好ましい。また、特許文献２に記載の踵固定具６２は、足の甲をしっかりと抑えることができるのでパンプス６１が脱げたりパタパタ現象が発生することを確実に防止できる。そしてストラップ等のない市販のパンプスに対しても適用することができ、優れてはいる。特許文献３に記載の履き物用フォルダー７１についても、ストランプ等のない市販のパンプスに対して適用することができ、パンプスが脱げたりパタパタ現象が発生するのを防止でき、優れてはいる。しかしながらこれらについては解決すべき問題も見受けられる。まず特許文献１に記載のアンクルストラップ５３については、使用者が欲しいパンプスに予めこのようなアンクルストラップ５３が取付けられていれば問題ないが、アンクルストラップ５３が取付けられていない場合に問題がある。市販のパンプスに対して後付けでアンクルストラップ５３を取付ける場合には、専用の靴修理店等に依頼してアンクルストラップ５３を取付けなければならない。ヒールカップ部の縫製を一部だけ解いて、ループ状の所定の帯を挿入し、そしてミシンによりこの帯をヒールカップ部に縫い付けるようにしてアンクルストラップ５３を取付けなければならない。そうすると、一般的に数日間から１０日前後を要する。その間、パンプスを使用できず不便である。特許文献２に記載の踵固定具６２の場合には、市販のパンプスに対してすぐに適用できるという利点はあるが、踵部分において装着ベルト部６７と装着補助ベルト部６４がパンプスの一部を隠してしまうし、パンプスのデザインと合う保証がない。つまり折角のパンプスの意匠を損なってしまう。また足の甲の部分を抑えるネックベルト部６６は、子供用の靴に広く取り入れられているストラップを想起させ、幼く見えてしまい大人の女性にとって好ましいデザインとは言えない。つまり踵固定具６２は、パンプスの魅力を半減してしまう問題がある。特許文献３に記載の履き物用ホルダー７１は、市販のパンプスに後付けで取付けることができるし、意匠を損なうという問題もない。しかしながら耐久性の点で問題が見受けられる。この履き物用ホルダー７１は、ベース部材７２をパンプスの内側に貼り付けるようにしてパンプスに取付けるようになっているが、パンプスを履いて歩行するとき、ストラップ７３を介して帯７４とベース部材７２には、図４の（ウ）において矢印７５で示される方向に引っ張り力が作用する。この引っ張り力によって長時間歩行するとベース部材７２が剥がれてしまうという問題がある。
【０００８】
本考案は、上記したような従来の問題を解決した、パンプスに取付けられるアンクルストラップを提供することを目的としており、具体的には、ストラップ等が取付けられていない市販のパンプスに対して後付けで容易にかつ短時間で取付けることができ、パンプスの意匠を損なうこともパンプスの魅力を損なうこともなく、耐久性に優れたアンクルストラップを提供することを目的としている。
【課題を解決するための手段】
【０００９】
本考案は、上記目的を達成するために、市販のパンプスに後付けで取付けられるアンクルストラップとして構成する。アンクルストラップは、天然皮革シートまたは人工皮革シートから所定形状に形成された取付用部材と、所定長さのストラップとから構成する。取付用部材について、その所定の部分をパンプスのヒールカップ部の内側に貼り付け、他の部分をヒールカップ部の外側に貼り付ける。そうすると、ヒールカップ部の頂部において取付用部材の一部からループが形成される。あるいは、取付用部材に予めループを形成しておき、ループがヒールカップ部の頂部に位置するように取付用部材の所定の部分をヒールカップ部の内側に、他の部分を外側に貼り付ける。このようにしてヒールカップ部の頂部に形成されるループにストラップを通すとパンプスにアンクルストラップを取付けることができる。
【００１０】
すなわち本考案は、市販のパンプスに後付けで取付けられるアンクルストラップであって、前記アンクルストラップは、天然皮革シートまたは人工皮革シートから所定形状に形成された取付用部材と、所定長さのストラップとから構成され、該取付用部材は、所定の部分が前記パンプスのヒールカップ部の内側に貼り付けられ、他の部分が前記ヒールカップ部の外側に貼り付けられるようになっており、前記取付用部材が前記ヒールカップ部に貼り付けられると、前記ヒールカップ部の頂部において前記取付用部材からループが形成され、前記ストラップが該ループに通され、それによって前記アンクルスストラップが前記パンプスに取付けられるようになっていることを特徴とする、パンプスの後付け用アンクルストラップとして構成される。
請求項２に記載の考案は、請求項１に記載のアンクルストラップであって、前記取付用部材は、比較的広い面積で所定形状に形成されているベース部と、該ベース部から所定長さで延びている帯部とから形成され、前記帯部は中央部分で折り返されて所定長さだけ縫合され、それによって該帯部の中央部分に前記ループが形成されており、前記帯部のうち前記ベース部から前記ループに達するまでの部分と前記ベース部とが前記ヒールカップ部の内側に、そして前記帯部のうち前記ループより先端部分が前記ヒールカップ部の外側にそれぞれ貼り付けられるようになっていることを特徴とする、パンプスの後付け用アンクルストラップとして構成される。
【考案の効果】
【００１１】
以上のように、本考案によると、市販のパンプスに後付けで取付けられるアンクルストラップであって、アンクルストラップは、天然皮革シートまたは人工皮革シートから所定形状に形成された取付用部材と、所定長さのストラップとから構成されている。市販のパンプスに後付けで取付けることができ、シンプルな構成からなる。アンクルストラップからなるので、パンプスの意匠や魅力を損なう虞がなく、歩行時においてパンプスが脱げることを防止でき、いわゆるパタパタ現象も防止できる。そして本考案によると、取付用部材は、所定の部分がパンプスのヒールカップ部の内側に貼り付けられ、他の部分がヒールカップ部の外側に貼り付けられるようになっており、取付用部材がヒールカップ部に貼り付けられると、ヒールカップ部の頂部において取付用部材からループが形成され、ストラップが該ループに通され、それによってアンクルスストラップがパンプスに取付けられるようになっている。市販のパンプスに対して容易に取付けることができる。そして、ストラップを固定する取付用部材は、ヒールカップ部の内側だけでなく外側にも貼り付けられるようになっているので、歩行時にストラップが所定の方向に引っ張られても、取付用部材がヒールカップ部から剥がれる虞がない。取付用部材をヒールカップ部の内側に貼り付けているだけであれば、取付用部材は歩行時にストラップによって剥がれる方向に引っ張られてしまうところ、その一部がヒールカップ部の外側にも貼り付けるので、剥がれが確実に防止されるからである。長期間使用してもアンクルストラップが取れることは無く、耐久性に優れている。
【図面の簡単な説明】
【００１２】
【図１】本考案の実施の形態に係るパンプスのアンクルストラップを構成するストラップと取付用部材を示す斜視図である。
【図２】本考案の他の実施の形態に係る取付用部材を示す斜視図である。
【図３】本考案の実施の形態に係るアンクルストラップを市販のパンプスに取付ける方法を説明する図で、その（ア）〜（ウ）は、パンプスにアンクルストラップを取付ける各工程におけるパンプスとアンクルストラップを示す斜視図である。
【図４】従来例を示す図で、その（ア）はアンクルストラップ付きのサンダルを、その（イ）は踵固定具が取付けられたパンプスを、その（ウ）はパンプス等に取付けられる履き物用ホルダーをそれぞれ示す斜視図である。
【考案を実施するための形態】
【００１３】
以下、本考案の実施の形態に係るパンプス用のアンクルストラップ１について説明する。本実施の形態に係るアンクルストラップ１は市販のパンプスに対して後付けで取付けるためのものであり、図１に示されているように、足首に巻かれるようになっているストラップ２と、このストラップ２をパンプスに取付けるようになっている取付用部材３とからなる。
【００１４】
ストラップ２は、所定太さの紐状、あるいは所定厚さ所定幅の帯状になっており、足首に巻くためのものである。どのような素材から形成されていてもよい。例えば天然皮革、人工皮革から形成することができるし、塩化ビニル等の透明な樹脂バンドから形成してもよいし、さらにはチェーン、編み紐等から形成してもよい。本実施の形態においてはストラップ２は表面がエナメルコーティングされた人工皮革から構成されており、該ストラップ２がパンプスに取付けられるとき、パンプスの意匠を損なわず、パンプスのデザインが引き立てられるようになっている。ストラップ２には、留め金すなわちホック５、６からなる着脱手段が設けられ、ストラップ２を足首に巻き付けて留めたり、足首から外したりが容易に実施できるようになっている。さらにストラップ２には、バックル７が設けられ、ストラップ２の有効長さを調整して足首の太さの違いに対応できるようになっている。
【００１５】
取付用部材３は、天然皮革シートまたは人工皮革シートから形成されている。取付用部材３は、ベース部９と、このベース部９から所定長さで延びている帯部１０とからなる。ベース部９は次に説明するようにパンプスのヒールカップ部の内側に貼り付けられる部分であり、接着強度を得るために比較的広い面積に形成されている。そしてヒールカップ部の曲面に対してシワが形成されずに貼れるように、本実施の形態においてはベース部９は略星形に形成されている。帯部１０は、所定幅の帯状に形成されている。このような帯部１０は、中央部分で折り返され符号１１で示されているように縫合されている。これによって取付用部材３にはループ１２が形成されている。本実施の形態に係るアンクルストラップ１は、このような取付用部材３を市販のパンプスのヒールカップ部に貼り付け、ループ１２がヒールカップ部の頂部に位置するようにする。そしてループ１２にストラップ２を通すようにすればアンクルストラップ１をパンプスに取付けることができるようになっている。本実施の形態に係る取付用部材３には、容易にヒールカップ部に貼り付けられるよう、その裏面に粘着テープが貼られ、粘着テープには保護シートが被せられている。従って保護シートを剥がすだけで取付用部材３をパンプスのヒールカップ部に貼ることができる。
【００１６】
取付用部材３は変形が可能であり、例えば図３に示されているように、取付用部材３’を形成することができる。このような取付用部材３’には、ループは形成されていないが、既に図１によって説明した取付用部材３と同様に、ベース部９と帯部１０とが形成されている。取付用部材３’の裏面には予め粘着テープを貼っておいてもよいが、粘着テープが貼られていないものとする。このような取付用部材３’を市販のパンプス２０に取付ける場合、まず、取付用部材３’のベース部９と、帯部１０のうちベース部９に近い部分において、その裏面に接着剤を塗布する。そして、図３の（ア）に示されているように、パンプス２０のヒールカップ部２１の内側に、ベース部９と帯部１０の一部をしっかりと貼り付ける。そうすると帯部１０はその中央部部から先端部にかけてがヒールカップ部２１の上部に露出する。次いで、帯部１０の先端部分の裏面に接着剤を塗布し、帯部１０の中央部分を所定長さだけ余らせて折り曲げ、図３の（イ）に示されているように、帯部１０の先端部分をヒールカップ部２１の外側に貼り付ける。そうすると帯部１０の中央部分によってループ１２が形成される。符号１３で示されているように、ループ１２の根元を縫合し、補強する。図３の（ウ）に示されているように、ループ１２にストラップ２を通すと、アンクルストラップ１がパンプス２０に取付けられる。
【００１７】
本実施の形態に係るアンクルストラップ１は色々な変形が可能である。例えば帯部１０のうちループ１２が形成される中央部分については、シートを二重にする等して補強してもよい。ループ１２の部分は歩行時にストラップ２によって引っ張られるので耐久性が要求されるからである。本実施の形態に係るアンクルストラップ１は、パンプス２０においてアンクルストラップ１が不要な場合には、適宜ストラップ２をループ１２から取りはずすこともできる。
【符号の説明】
【００１８】
１              アンクルストラップ
２              ストラップ
３              取付用部材
５、６          ホック
７              バックル
９              ベース部
１０              帯部
２０            パンプス
２１            ヒールカップ部
【図１】
0003215642.tif 000003
【図２】
0003215642.tif 000004
【図３】
0003215642.tif 000005
【図４】
0003215642.tif 000006